(57)【要約】  計画されているＤＲＸアクティビティのスケジュールによって定められる省電力ＤＲＸ手順を実行するように構成されると共に、計画されているＤＲＸアクティビティのスケジュールに従ってネットワーク装置から送信されたシグナリングを受信するように構成される移動無線通信装置が提供され、また、省電力ＤＲＸ手順を実行する移動無線通信装置内で計画されているＤＲＸアクティビティのスケジュールに従って前記移動無線通信装置へのシグナリングを制御するように前記シグナリング用に構成される移動無線通信ネットワーク装置が提供され、これらの装置は、ＤＲＸ手順を使用する無線通信システムの一部を形成する。【選択図】図３
2015535662.tif 000002
【特許請求の範囲】
【請求項１】
移動無線通信装置であって、計画されているＤＲＸアクティビティのスケジュールによって定められる省電力ＤＲＸ手順を実行するように構成されると共に、計画されているＤＲＸアクティビティのスケジュールに従ってネットワーク装置から送信されたシグナリングを受信するように構成される、装置。
【請求項２】
請求項１に記載の装置であって、
前記ネットワーク装置に前記スケジュールを送信する手段を含む、装置。
【請求項３】
請求項１に記載の装置であって、
前記ネットワーク装置から前記スケジュールを受信する手段を含む、装置。
【請求項４】
請求項１，２または３に記載の装置であって、
前記スケジュールを格納するスケジューラを含む、装置。
【請求項５】
請求項４に記載の装置であって、
前記スケジューラは、前記装置内のプロトコルスタックと通信するように構成される、装置。
【請求項６】
請求項１から５のいずれか１項に記載の装置であって、
計画されているＤＲＸアクティビティの複数のスケジュールを定めるように構成される、装置。
【請求項７】
請求項６に記載の装置であって、
前記複数のスケジュールをマージして、計画されているＤＲＸアクティビティの単一のマージされたスケジュールを形成する手段を含む、装置。
【請求項８】
請求項１から７のいずれか１項に記載の装置であって、
計画されているＤＲＸアクティビティのスケジュールは、ＤＲＸサイクル用のＤＲＸ開始および停止要求によって定められる、装置。
【請求項９】
請求項８に記載の装置であって、
ＤＲＸ開始要求とＤＲＸ手順の開始との間に遅延期間を使用する、装置。
【請求項１０】
請求項８または９に記載の装置であって、
前記ＤＲＸ開始および停止要求を前記装置内のプロトコルスタックに送信するように構成される、装置。
【請求項１１】
請求項１から１０のいずれか１項に記載の装置であって、
ＭＴＣ装置を有する、装置。
【請求項１２】
請求項１１に記載の装置であって、
計画されているＤＲＸアクティビティのスケジュールのそれぞれに関連する複数のアプリケーションを含む、装置。
【請求項１３】
移動無線通信ネットワーク装置であって、省電力ＤＲＸ手順を実行する移動無線通信装置内で計画されているＤＲＸアクティビティのスケジュールに従って、前記移動無線通信装置へのシグナリングを制御するように、前記シグナリング用に構成される、装置。
【請求項１４】
請求項１３に記載の装置であって、
前記移動無線通信装置から前記スケジュールを受信するように構成される、装置。
【請求項１５】
請求項１３に記載の装置であって、
前記移動無線通信装置に前記スケジュールを送信するように構成される、装置。
【請求項１６】
請求項１３，１４または１５に記載の装置であって、
複数のシグナリングメッセージに関連する複数のスケジュールに従って、前記シグナリングを制御するように構成される、装置。
【請求項１７】
請求項１６に記載の装置であって、
前記複数のスケジュールは、単一のマージされたスケジュール内で供給される、装置。
【請求項１８】
請求項１３，１４，１５，１６または１７に記載の装置であって、
計画されているＤＲＸアクティビティのスケジュールを格納するように構成される、装置。
【請求項１９】
請求項１３，１４，１５，１６，１７または１８に記載の装置であって、
計画されているＤＲＸアクティビティのスケジュールに従って、シグナリング用の別のネットワーク装置から前記移動無線通信装置への要求を基に動作するように構成される、装置。
【請求項２０】
請求項１９に記載の装置であって、
少なくとも１つのＭＴＣサーバからアクセス要求を受信するように構成される、装置。
【請求項２１】
請求項１９に記載の装置であって、
ＭＴＣサーバを有する、装置。
【請求項２２】
請求項１から１２のいずれか１項以上に記載の移動無線通信装置と、請求項１３から２１のいずれか１項以上に記載の移動無線通信ネットワーク装置と、を含む、移動無線通信システム。
【請求項２３】
省電力ＤＲＸ手順に従って、無線通信ネットワーク内の移動無線通信装置を動作させる方法であって、前記装置用に計画されているＤＲＸアクティビティのスケジュールを定めることと、計画されているＤＲＸアクティビティのスケジュールに従って前記装置に送信されたネットワークシグナリングを受信することと、を含む、方法。
【請求項２４】
請求項２３に記載の方法であって、
前記装置内のＤＲＸアクティビティの複数のスケジュールを定めるステップを含む、方法。
【請求項２５】
請求項２４に記載の方法であって、
前記複数のスケジュールをマージして、計画されているＤＲＸアクティビティの単一のマージされたスケジュールにするステップを含む、方法。
【請求項２６】
請求項２３，２４または２５に記載の方法であって、
前記移動無線通信装置から前記ネットワークへ前記スケジュールを送信するステップまたは前記ネットワークからの前記スケジュールを前記移動無線通信装置で受信するステップを含む、方法。
【請求項２７】
請求項２３から２６のいずれか１項に記載の方法であって、
ＤＲＸサイクル用のＤＲＸ開始および停止要求によってＤＲＸアクティビティを定める、方法。
【請求項２８】
請求項２７に記載の方法であって、
ＤＲＸ開始要求とＤＲＸ手順の開始との間に遅延期間を使用するステップを含む、方法。
【請求項２９】
請求項２３から２８のいずれか１項に記載の方法であって、
ＭＴＣネットワーク内のＭＴＣ装置を動作させる、方法。
【請求項３０】
省電力ＤＲＸ手順を実行する移動無線通信装置へネットワークシグナリングを提供するように移動無線通信ネットワーク装置を動作させる方法であって、前記移動無線通信装置内で計画されているＤＲＸアクティビティのスケジュールに従って、前記シグナリングを制御するステップを含む、方法。
【請求項３１】
請求項３０に記載の方法であって、
前記移動無線通信装置から、計画されているＤＲＸアクティビティのスケジュールを受信するステップまたは前記移動無線通信装置に前記スケジュールを送信するステップを含む、方法。
【請求項３２】
請求項２９または３０に記載の方法であって、
前記移動無線通信ネットワーク装置内に前記スケジュールを格納するステップを含む、方法。
【請求項３３】
請求項３２に記載の方法であって、
計画されているＤＲＸアクティビティのスケジュールに従って、シグナリング用の別のネットワーク装置から前記移動無線通信装置への要求を基に動作するステップを含む、方法。
【請求項３４】
請求項２３から２９のいずれか１項に記載の方法と、請求項３０から３３のいずれか１項に記載の方法と、を含む、移動無線配信システムを動作させる方法。
【発明の詳細な説明】
【技術分野】
【０００１】
本発明は、移動無線通信装置における間欠受信（ＤＲＸ：Discontinuous Reception）に関し、特に、排他的ではないが、マシン型通信（ＭＴＣ：Machine Type Communication）装置に関する。
【背景技術】
【０００２】
間欠受信は、電力消費を低減するための方法として、無線通信システムにて使用され確立されている方法である。ユーザ機器（ＵＥ：User Equipment）などの移動無線通信装置は、ネットワークから到着したページング信号などの信号を監視している間のいくつかの期間で、自身の受信機をオフに切り替えることによってＤＲＸを行っている。ＤＲＸは、第３世代パートナーシッププロジェクト（３ＧＰＰ：Third Generation Partnership Project）通信システムの２Ｇ／３Ｇ／ＬＴＥデベロップメントにおいて、標準化され実行されている。
【０００３】
ＤＲＸは、現在の３ＧＰＰ仕様書に従って、通常はネットワークからのページング信号の監視を、ＤＲＸサイクルの範囲でオン／オフし、これを繰り返しており、２Ｇシステム用の１つのＤＲＸサイクルではただ１つのページンググループを監視し、３Ｇシステム用の１つのＤＲＸサイクルでは１つのページングインジケータを監視し、ＬＴＥシステム用の１つのＤＲＸサイクルでは１つのページングオケージョンを監視している。
【０００４】
ＤＲＸサイクルおよびページング位置、すなわち、ページング信号が割り当てられるフレームまたはサブフレームは、システム情報（ＳＩ：System Information）メッセージ内の関連するパラメータのページング、および、ＩＭＳＩ（International Mobile Subscribers Identity）やＧＵＴＩ（Globally Unique Temporary ID）などのＵＥ識別情報によって算出される。これらは、例えば、３ＧＰＰ技術仕様書ＴＳ２３．００３に定義されている。さらに、これらの値は、例えば、３ＧＰＰ技術仕様書ＴＳ２４．００８  ｓ１０．５．５．６によるＡｔｔａｃｈ／ＲＡＵ／ＴＡＵ更新要求メッセージ内のＤＲＸパラメータの情報要素（ＩＥ：Information Element）によって、好適なＤＲＸサイクルおよびページング位置に従って変化し得る。このＩＥは、３オクテットの長さを有し、コアネットワーク（ＣＮ：Core Network）−指定ＤＲＸサイクル長係数およびＳ１モード用のＤＲＸ値を含んでいる。
【０００５】
もちろんＤＲＸサイクルが長くなるに従って、将来的な省電力消費は向上する。しかし、現在の３ＧＰＰ仕様書で実際に定義されている最大のＤＲＸサイクルは、比較的短い期間になっている。３ＧＰＰワーキンググループでは、マシン型通信（ＭＴＣ：Machine Type Communication）に関する議論がなされており、ＭＴＣ装置を長く使用すること、すなわち、ＤＲＸサイクルを延長することが提案されている。
【０００６】
延長ページングサイクルに関連する提案がＧＰＰ  ＴＳＧ  ＳＡ  ＷＧ２ミーティング＃９３で承認され、延長ＤＲＸサイクルでは、次の２つの代替のＤＲＸスキームを実行することが取り決められた。まず、ページング監視は、ＤＲＸサイクルの延長により、低頻度で実行される。これは、タイムクリティカル通信を必要としない装置に特に適している。その他には、通常のＤＲＸサイクルおよび延長ＤＲＸサイクルの１以上の期間を混合する役割のスキームが提供可能である。
【０００７】
また、上記の提案を拡張し、同じＭＴＣグループに属する複数のＭＴＣ装置が延長ＤＲＸサイクルの同じデュレーションおよびタイミングを使用する特許文献１も知られている。
【先行技術文献】
【特許文献】
【０００８】
【特許文献１】英国特許出願公開第２４８３７５２号明細書
【発明の概要】
【発明が解決しようとする課題】
【０００９】
しかし、既知のＤＲＸ方法およびシステムは、異なるタイプの移動装置でより顕著になる限界および欠点がある。
【００１０】
このような既知のスキームは、様々なＭＴＣアプリケーションサーバに関連する様々なＭＴＣアプリケーションに従って動作可能なＭＴＣ装置であって、ＭＴＣ装置が使用されるＭＴＣシステムの要求に従って異なる特性を示すことが可能なＭＴＣ装置を考慮する場合に、特に制限される。
【００１１】
ＭＴＣアプリケーションは、常にタイムトレラントなものではないため、単純で規則的だが、例えば、１時間、１日などの比較的長いＤＲＸサイクルを使用すると、ＭＴＣ装置がページングシグナリングの受信に成功しなかったことに起因して、ＭＴＣアプリケーションとＭＴＣアプリケーションサーバとの間の通信の問題が生じる。
【００１２】
ＤＲＸを使用するシナリオでは、ネットワークは、適切なページングオケージョンでのみページングメッセージを送信し、その時に、ＵＥはページングメッセージを受信する受信機をオンに切り替える。延長ＤＲＸを使用するシナリオでは、ＵＥが自身の受信機をオフに切り替えている延長ＤＲＸサイクル中にページングが発生した場合、ＵＥが自身の受信機をオンに切り替えるまで、ネットワークはページングの送信を拒否または延期する可能性がある。なぜなら、ＵＥは、延長ＤＲＸサイクルの間はページングを受信できないためである。
【００１３】
また、特にＭＴＣシステムでは、１つ以上のＭＴＣアプリケーションサーバに関連する１つ以上のＭＴＣのアプリケーションは、単一のＭＴＣ装置にインストールすることができる。このようなケースでは、複数のＭＴＣアプリケーションサーバが、延長ＤＲＸサイクル中にネットワークへのアクセス要求を送信する場合、ネットワークは、延長ＤＲＸ時間期間の終わりまで、ページング信号の送信を拒否または延期する可能性がある。
【００１４】
その結果、ＭＴＣ装置は、ページング信号を次に受信可能となるときに、延期されていたページング、または、ＭＴＣアプリケーションサーバからのアクセス要求信号の再送信に起因して、複数のページング信号が、同じタイミングで集中して発生する可能性がある。そのため、幾つかのページング信号は、ＭＴＣ装置で欠落する可能性がある。なぜなら、ＭＴＣ装置は、複数のページング信号を同時に処理することができないためである。
【００１５】
本発明は、ＤＲＸを行うと共に、既知の装置、方法およびシステムを上回る利点を有する、移動無線通信装置、および関連するシステム、方法、ネットワーク装置を提供することを目的とする。
【課題を解決するための手段】
【００１６】
本発明の一態様によれば、移動無線通信装置が提供され、前記装置は、計画されているＤＲＸアクティビティのスケジュールによって定められる省電力ＤＲＸ手順を実行するように構成されると共に、計画されているＤＲＸアクティビティのスケジュールに従ってネットワーク装置から送信されたシグナリングを受信するように構成される。
【００１７】
本発明によるスケジューリングの使用は、省電力化を向上させる有利なメカニズムを提供し、その一方で、ページングメッセージなどのネットワークシグナリングが欠落する可能性を低減する。
【００１８】
一例では、前記装置は、前記ネットワーク全体で前記スケジュールを共有する効果的な手段を提供するために、前記ネットワーク装置に前記スケジュールを送信する手段を含むことができ、または、その代わりにもしくはそれに追加して、前記ネットワークから前記スケジュールを受信する手段を含む。
【００１９】
さらに、前記装置は、前記スケジュールを格納するスケジューラを含むことができ、前記スケジューラは、前記装置内のプロトコルスタックと通信するように構成することができる。必要であれば、計画されているＤＲＸアクティビティの複数のスケジュールは、前記複数のスケジュールをマージして、計画されているＤＲＸアクティビティの単一のマージされたスケジュールを形成する手段と一緒に提供することができる。
【００２０】
有利には、ＤＲＸサイクルは、既知のサイクルを基準にすることができるが、必要に応じてＤＲＸサイクルを開始／停止して、スケジュールされているアクティビティを提供する役割を持つ制御信号を適応させることができる。前述の請求項のいずれか１つ以上に記載された装置において、計画されているＤＲＸアクティビティのスケジュールは、ＤＲＸサイクル用のＤＲＸ開始および停止要求によって定められる。
【００２１】
さらに、前記装置は、計画されているＤＲＸアクティビティのスケジュールにそれぞれ関連する複数のＭＴＣアプリケーションを含むことができる。
【００２２】
本発明の別の態様によれば、移動無線通信ネットワーク装置が提供され、前記ネットワーク装置は、省電力ＤＲＸ手順を実行する移動無線通信装置内で計画されているＤＲＸアクティビティのスケジュールに従って、前記移動無線通信装置へのシグナリングを制御するように、前記シグナリング用に構成される。
【００２３】
１つの有利な態様では、前記ネットワーク装置は、前記移動無線通信装置から前記スケジュールを受信するように構成され、または、その代わりにもしくはそれに追加して、前記移動無線通信装置に前記スケジュールを送信するように構成される。
【００２４】
さらにまた、前記ネットワーク装置は、複数のシグナリングメッセージに関連する複数のスケジュールに従って、前記シグナリングを制御するように構成することができ、複数のスケジュールを、単一のマージされたスケジュール内で提供することができる。
【００２５】
必要であれば、前記ネットワーク装置は、計画されているＤＲＸアクティビティのスケジュールに従って、シグナリング用の別のネットワーク装置から前記移動通信装置への要求を基に動作するように構成することができる。このようにして、前記ネットワーク装置は、前記要求が受信された場合の将来の参照用の前記スケジュールを格納するように構成することができる。特に、前記装置は、少なくとも１つのＭＴＣサーバからのアクセス要求を受信するように構成することができ、または実際には、前記装置自身がＭＴＣサーバを有することができる。
【００２６】
もちろん、本発明は、上記で説明したような移動無線通信装置および移動無線通信ネットワーク装置を含む移動無線通信システムを提供できることが理解されるであろう。
【００２７】
本発明のさらなる態様によれば、省電力ＤＲＸ手順に従って、無線通信ネットワーク内の移動無線通信装置を動作させる方法が提供され、前記方法は、前記装置用に計画されているＤＲＸアクティビティのスケジュールを定めることと、計画されているＤＲＸアクティビティのスケジュールに従って前記装置に送信されたネットワークシグナリングを受信することと、を含む。
【００２８】
前記方法は、前記移動無線通信装置が、前記スケジュールを前記ネットワークに送信するステップおよび／または前記ネットワークから前記スケジュールを受信するステップを含むことができ、スケジュールは、必要であれば、複数のスケジュールがマージされて形成された単一のスケジュールを有することができる。
【００２９】
本発明のさらに別の態様によれば、省電力ＤＲＸ手順を実行する移動無線通信装置へネットワークシグナリングを提供するように移動無線通信ネットワーク装置を動作させる方法が提供され、前記方法は、前記移動無線通信装置内で計画されているＤＲＸアクティビティのスケジュールに従って、前記シグナリングを制御するステップを含む。
【００３０】
前記方法はさらに、前記移動無線通信装置から前記スケジュールを受信するステップおよび／または前記移動体無線通信装置に前記スケジュールを送信するステップと、前記移動無線通信ネットワーク装置内に前記スケジュールを格納するステップと、を含むことができる。
【００３１】
また、前記方法は、計画されているＤＲＸアクティビティのスケジュールに従って、シグナリング用の別のネットワーク装置から前記移動無線通信装置への要求を基に動作するステップを含むことができる。
【００３２】
もちろん、本発明は、上記で説明したような、移動無線通信装置を動作させる方法と、移動無線通信ネットワーク装置を動作させる方法と、を含む、移動無線配信システムを動作させる方法も提供することが理解されるであろう。
【００３３】
本発明の予備的な態様、すなわち、計画されているＤＲＸアクティビティのスケジュールの使用は、コアネットワーク（ＣＮ：Core Network）内に何らの実装もさせないようにすることができ、その一方で、ＣＮが、この特徴をサポートしている場合にのみオプション機能として、計画されているＤＲＸのスケジュール（例えば、マージされたスケジュール）の通知をＵＥから受信可能なように構成できることが理解されるであろう。このようにして、ＣＮは、いわゆる“無駄なページング”の発生を防止するために、通知されたスケジュールを使用することができる。
【００３４】
さらにまた、本発明をサポートするように構成されるコアネットワークはもちろん、移動無線通信装置、例えばＵＥ用に計画されているＤＲＸアクティビティのスケジュールを、ＣＮ内に形成することができ、また、例えば、サービングＧＰＲＳサポートノード（ＳＧＳＮ：Serving GPRS Support Node）／移動管理エンティティ（ＭＭＥ：Mobile Management Entity）からＵＥへのＮＡＳメッセージで送信することができる。そして、サーバに対しては、ＵＥが、アップリングのシグナリングによって、計画されているＤＲＸアクティビティの（ＣＮが発信した）スケジュールを通知することができる。それによって、その後、サーバは、ＵＥの受信機がオンしてページングを受信できる期間と一致するようにスケジュールされている方法でＵＥにページングシグナリングを送信できるように、ＳＧＳＮ／ＭＭＥにアクセス要求を送信するであろう。
【発明の効果】
【００３５】
本発明は、ページングが欠落することなく、低消費電力化を実現する、改良されたＤＲＸメカニズムを提供するという効果がある。
【図面の簡単な説明】
【００３６】
本発明は、添付の図面を参照して、１つの例により、以下にさらに説明される。
【図１】図１は、既知のＭＴＣ通信システムにおける延長ＤＲＸに関連するタイミング図である。
【図２】図２は、本発明の一実施形態によるＭＴＣ装置の概略図である。
【図３】図３は、本発明の一実施形態によるＭＴＣ通信システムにおけるＤＲＸに関連するタイミング図である。
【図４】図４は、本発明の他の実施形態によるＭＴＣ装置の概略図である。
【図５】図５は、本発明の他の実施形態によるＭＴＣ通信システムにおけるＤＲＸに関連するタイミング図である。
【図６】図６は、本発明の一実施形態によるＤＲＸ手順のタイミング図である。
【発明を実施するための形態】
【００３７】
理解されるように、本発明は、スケジュールされているＤＲＸスキームと、そのようなスキームに従って動作するように構成される通信およびネットワーク装置と、を使用することを提案する。ＤＲＸスケジュールは、そのスケジュールに従って定められた指定の時間でのみアクティビティになるよう計画されているＤＲＸ手順を提供する。
【００３８】
本発明の例示的な実施形態は、ＭＴＣシステムの文脈で示されるが、本発明は、任意の無線通信システムにも等しく適用可能であることを理解されるべきである。
【００３９】
図１は、例えば、ＭＴＣアプリケーションサーバ１６，１８，２０からの要求を現在の技術に従って受信するように動作可能なＭＴＣ装置１２とネットワークノード装置１４との間の通信用の移動無線通信ネットワークの概略を表すタイミング図である。
【００４０】
もちろん、ＭＴＣ装置は、単一のＭＴＣアプリケーションのみを使用するように構成することができ、そのため、単一のサーバのみからのアクセスを要求することができるが、現在の技術の限界は、アプリケーションサーバ１６，１８，２０のそれぞれによってアクセスされる複数のアプリケーションを使用するＭＴＣ装置１２に特に顕著である。図１において、ＭＴＣ装置１２は、電力消費を低減する役割を持つ延長ＤＲＸサイクルを使用する。ここで、ＭＴＣ装置１２は、延長ＤＲＸサイクル期間Ａの間は、ネットワーク装置１４からのいかなるネットワークシグナリングも受信することができない。また、このような延長ＤＲＸサイクル期間は、ネットワークノード装置１４の期間Ｂに反映される。
【００４１】
ＭＴＣ装置１２とのコネクションを確立するためには、ＭＴＣアプリケーションサーバ１６，１８，２０のそれぞれは、要求される通信リンクを確立するためにＭＴＣ装置１２へのページングメッセージの送信を開始しなければならない。図示されるように、サーバ１６，１８，２０のそれぞれは順番に、それぞれ、アクセス要求２２，２４，２６をネットワークノード装置１４に送信する。しかし、これらが、延長ＤＲＸサイクルの“パワーダウン”期間Ｂの間に受信されると、ネットワークノード装置１４で拒否され、対応する拒否信号２８，３０，３２が、各サーバ１６，１８，２０にそれぞれ返送される。
【００４２】
各サーバはアクセス要求の再試行を行うが、延長ＤＲＸサイクルが終了した時に、アクセス要求３４および関連するページングメッセージ３６が集中し混雑する可能性があり、期間Ｃではページングメッセージ３６を（ほぼ）同時に処理できないため、ＭＴＣ装置へのコネクションの確立が再び失敗してしまう。
【００４３】
本発明は、ＭＴＣアプリケーションおよびそれに関連するＭＴＣアプリケーションサーバが、ページング時間用の同じスケジュールを持つことを可能にし、ＭＴＣ装置は、このスケジュールを知ることで、スケジュールされている時間にのみページング用の受信機をオンに切り替えることができる。そのため、ページングメッセージをタイムリーに受信可能で、有利で効果的な低電力消費の構成を提供することができる。
【００４４】
以下に述べるように、本発明は、例えば、複数のＭＴＣアプリケーションに設定されている複数のスケジューリングを扱うことができる。例えば、ＭＴＣ装置におけるＭＴＣアプリケーションＡ，Ｂ，Ｃが、それぞれ、事前にスケジュールされたＤＲＸスキームを持つ場合、本提案のＭＴＣ装置は、それらのスケジュールされたＤＲＸスキームをマージして、単一のスケジュールされたＤＲＸスキームを生成することができる。さらに、ＭＴＣ装置がマージされたＤＲＸスキームに従って、ページングシグナリングの監視を制御する場合、すべてのページングメッセージがＭＴＣ装置で受信可能となる。
【００４５】
図２は、本発明の一実施形態による移動無線通信装置３８の概略図であり、この例では、移動無線通信装置３８は、計画されているＤＲＸアクティビティに関連するＤＲＸスケジュールを持つＭＴＣアプリケーション４０を使用するＭＴＤ装置を有している。
【００４６】
ＤＲＸスケジュールは、ＤＲＸスケジューラ４２に送信され、ＤＲＸスケジューラ４２は、要求され／スケジュールされているＤＲＸ手順に従って装置３８を動作させるように装置３８内のプロトコルスタック４４への以降の送信用に必要に応じてＤＲＸスケジュールを格納することができる。以下にさらに述べるように、本発明を具現化したＤＲＸ手順およびその関連するスケジュールは、標準的で既知のＤＲＸサイクルパターンに対する適切な開始／停止要求によって設計することができる。このようにして、このような要求を、プロトコルスタック４４に送信することができる。
【００４７】
図３のタイミング図に進むと、本発明の最初の態様による、単純なＭＴＣネットワーク構成の基本的な概略構造が示されており、このＭＴＣネットワーク構成は、この例ではＭＴＣサーバを有するネットワーク装置と、ＭＴＣ装置を有する移動無線通信装置と、の通信用のＭＴＣネットワーク構成であり、単一のアプリケーションを使用している。
【００４８】
ネットワーク構成４６は、ＭＴＣ装置４８を含んでおり、ＭＴＣ装置４８は、適切なアプリケーションを実行し、ＭＴＣアプリケーションサーバ５２からネットワークノード装置５０を経由してアクセスされるように構成されている。
【００４９】
本発明の有利な利益を得るために、計画されているＤＲＸアクティビティのスケジュールは、ＭＴＣ装置４８がスケジュールされている時間Ｄでのみ到着したページングメッセージを監視／傾聴するよう、ＭＴＣ装置４８用に確立されている。同様に、ＭＴＣアプリケーションサーバ５２は、計画されているＤＲＸアクティビティのスケジュールが、スケジュールされている時間Ｅでのみアクセス試行が行われるものであることを知っている。このようにして、ネットワーク装置５０は、サーバ５２からのアクセス要求５４を受信し、これに応答することができる。続いて、サーバ５２に関連するページングメッセージ５６を、ＭＴＣ装置４８に送信することができる。スケジュールされている時間フレームＤ，Ｅ内の全てのアクセス要求５４およびページングメッセージ５６に対する信頼性のある処理によって、ページング試行の問題の損失を受けない延長ＤＲＸスキームを介して、電力消費の低減が可能になるという利益が得られる。
【００５０】
図４は、本発明を例示する移動通信装置５８の他の実施形態の概略図である。図２と同様に、この例では、移動通信装置５８は、ＭＴＣ装置５８として示されているが、今回は、それぞれにＤＲＸスケジュールが設定されている、３つの分離したＭＴＣアプリケーション６０Ａ，６０Ｂ，６０Ｃを含むように構成されている。
【００５１】
アプリケーション６０Ａ，６０Ｂ，６０Ｃのそれぞれは、ＤＲＸスキーム通知コマンドを介して、ＤＲＸスケジューラ６２に、それぞれのＤＲＸスケジュールの通知を提供するように構成されている。ＭＴＣアプリケーションは、ＤＲＸスキームが更新される任意の必要な時間に、ＤＲＸスキーム通知を実行することができる。この図の例では、スケジューラ６２は、以降のプロトコルスタック６４への送信のために、３つのスケジュールをマージして、単一のマージされたスケジュールにするように構成されている。マージされたＤＲＸスケジュールは、ＤＲＸスケジューラ６２によってプロトコルスタック６４に送信されるＤＲＸ手順の開始／停止要求を介して再度定めることができ、スケジュールされているＤＲＸパターン／アクティビティを実行するのに寄与される。ＭＴＣ装置５８におけるＭＴＣアプリケーション６０Ａ，６０Ｂ，６０Ｃは、それぞれスケジュールされているＤＲＸスキームを持っており、ＭＴＣアプリケーション用にスケジュールされているＤＲＸスキームは、それぞれ関連するＭＴＣアプリケーションサーバによって知られていることも理解されるべきである。
【００５２】
特に、マージされたＤＲＸスケジュールは、図５のタイミング図に示されるように、有利に使用することができるため、図１に示されたような問題を克服することができる。
【００５３】
図５は、図４のＭＴＣ装置５８内で実行されている３つのＭＴＣアプリケーション６０Ａ，６０Ｂ，６０ＣのそれぞれのＤＲＸスケジュールを、単一のマージされたＤＲＸスケジュールへマージする方法を示すタイミング図である。
【００５４】
図示されるように、ＭＴＣアプリケーション６０Ａについて計画されているＤＲＸアクティビティのスケジュールは、１暦月のＤＲＸサイクルがスケジュールされている。ＭＴＣアプリケーション６０Ｂについて計画されているＤＲＸアクティビティのスケジュールは、１週間のＤＲＸサイクルがスケジュールされている。ＭＴＣアプリケーション６０Ｃについて計画されているＤＲＸアクティビティのスケジュールは、１０日のＤＲＸサイクルがスケジュールされている。図４を参照して前述したように、ＤＲＸスケジューラ６２に対して、ＭＴＣアプリケーション６０Ａ，６０Ｂ，６０ＣのそれぞれのＤＲＸスケジュールのＤＲＸスキーム通知が発生するが、ＤＲＸスケジューラ６２は、それら３つのＤＲＸスケジュールを組み合わせて、図５に矢印６２で示されるように、単一のマージされたＤＲＸスケジュール６６にする。
【００５５】
このマージされたスケジュール６６は、その後、ＭＴＣアプリケーションサーバからのアクセス要求から導出されるページング信号のタイミングを制御する手段として、ネットワークおよびＭＴＣアプリケーションサーバによって使用される。そのため、マージされたスケジュールは、ＭＴＣアプリケーションサーバにおけるＭＴＣのアプリケーションのいずれかに関連するページング要求がＭＴＣ装置で受信可能な範囲を、常にウィンドウで表現したものになる。
【００５６】
ＤＲＸスキームアクティビティの要求パターンは、必要に応じて柔軟な方法で指定可能であることを理解すべきである。
【００５７】
ＭＴＣアプリケーションからＭＴＣスケジューラに通知されるＤＲＸスキームのフォーマットは、様々なＭＴＣアプリケーションでサポートできるよう、有利には標準化されている。同様に、ＭＴＣアプリケーションからＤＲＸスケジューラに送信されるＤＲＸスキーム通知コマンドも標準化することができる。本発明で使用されるＤＲＸスキームのフォーマットを実現し得る１つは、ｉＣａｌｅｎｄａｒ、ｖＣａｌｅｎｄａｒファイルなどの既に標準化されたフォーマットである。
【００５８】
ＭＴＣアプリケーションにおけるＤＲＸスキームの様々な更新方法を提供することができる。例えば、ＭＴＣアプリケーションサーバは、ＩＰパケットベースのコマンド、ＳＭＳ、ＮＡＳ／ＡＳシグナリング、またはＯＭＡ  ＤＭなどのいずれかを使用して、ＭＴＣアプリケーションにおけるＤＲＸスキームを更新することができる。または、ＭＴＣアプリケーションは、ＣＯＭポート、シリアルポート、ｗｉｆｉなどの外部インタフェースを使用することができ、また、外部ＴＥは、ＡＴコマンドなどによってＤＲＸスキームを更新することができる。さらに、ＭＴＣアプリケーションは、ＭＴＣ装置のディスプレイ上のユーザインタフェースを使用して、ユーザ操作によってＤＲＸスキームを更新可能とすることができる。また、アプリケーションの外部からＤＲＸスキームを更新する手段はないが、ＭＴＣアプリケーション自身が、固定のＤＲＸスキームまたは自身のＤＲＸスキーム用の自動更新方法を含むことができる。
【００５９】
本発明によるＭＴＣ装置は、ＳＩメッセージからＤＲＸ関連パラメータを取得することができると共に、アタッチ（Attach）／ルーティングエリア更新（ＲＡＵ：Routing Area Update）／トラッキングエリア更新（ＴＡＵ：Tracking Area Update）の更新要求手順の間に、自身のＤＲＸサイクルを決定することができる。
【００６０】
既知のＵＥは、決定されたＤＲＸサイクルに従って、ページングの待機中に、受信機のオンおよびオフを周期的に切り替えるＤＲＸ手順を実行する。その一方、本提案のＭＴＣ装置のようなＵＥは、本発明のＤＲＸアクティビティの有利なスケジューリングを行うことができる。特に、ＭＴＣ装置は、プロトコルスタック（４４，６４）がＤＲＸスケジューラ（４２，６２）からＤＲＸ手順開始要求を受信するまで、通常のＤＲＸ手順の実行を遅らせる。
【００６１】
プロトコルスタック（４４，６４）がＤＲＸ手順開始要求を受信すると、本提案のＭＴＣ装置（３８，５８）は、限られた、スケジュールされている期間でのみ、通常のＤＲＸ手順を実行する。
【００６２】
プロトコルスタック（４４，６４）がＤＲＸ手順の間にＤＲＸ手順停止要求を受信すると、ＭＴＣ装置（３８，５８）は、次のＤＲＸ手順開始要求が受信されるまで、ＤＲＸ手順を停止する。
【００６３】
本態様を実現するさらなる詳細は図６に示されており、本発明の一実施形態によるＤＲＸスケジューリングは、現在のＤＲＸ手順に基づき実現することができる。
【００６４】
タイミング図は、現在のＤＲＸ手順によって生じるＤＲＸ期間のシーケンスを示しているが、それら期間の（一点鎖線で示した）初期シーケンスは、ＭＴＣ装置（３８，５８）のプロトコルスタック（４４，６４）に送信された、以前のＤＲＸ手順の“停止”信号に起因して、抑制されている。計画されているＤＲＸアクティビティのスケジュールに従って、ページングメッセージの監視が要求されている場合、ＤＲＸ“開始”信号によって決定される、実際にスケジュールされているタイミングは、プロトコルスタックを介して送信される。しかし、特に、本発明の有利な例においては、ＤＲＸスケジューラは、時間６８で、すなわち、ＤＲＸ手順の実際の開始時間６６よりも短時間期間７０だけ前に、ＤＲＸ“開始”要求を実際に送信するように構成することができる。この時間期間７０は、必要であれば、プロトコルスタックが、システム情報の読取と測定、および／または、ＲＡＵ／ＴＡＵの更新要求手順などの初期化アクティビティを実行可能な範囲内で、マージンを取ることを許容する。このような初期化アクティビティによって、ＭＴＣ装置の受信機を比較的長い期間オフに切り替えている場合に生じる問題、例えば、ページング・メッセージの正確な位置の計算、売却や再選択用に要求される測定、ＲＡＵ／ＴＡＵ手順の完成などが、有利にはネゲートされる。
【００６５】
ＭＴＣ装置がページング用の受信機を比較的長い期間オフに切り替えている場合、Ｓ１メッセージに関連するページングは頻繁に更新されることから、ページングの正しい位置の計算のためにＳＩの読み取りが必要になるため、このような遅延マージンによって、“セットアップ”期間を提供することができる。また、現在のサービングセルは、サービングセルの基準を満たさない可能性があるため、セル再選択用に測定が必要になる。また、最後には、周期的なＲＡＵ／ＴＡＵ用のタイマーがすでに満了し、ＲＡＵ／ＴＡＵの更新要求手順が必要になる可能性がある。
【００６６】
必要であれば、プロトコルスタックは、そのような測定／手順を、必要と判断した場合に実行することができ、または、その代わりに、ページング監視の開始前に、マージンの時間期間が満了することを単に待つことができる。
【００６７】
ネットワークの観点からは、ＭＴＣ装置からのアクセスの試行および確立のために、ＭＴＣ装置にページングメッセージを送信することが要求されている場合でも、ＭＴＣ装置についてスケジュールされているＤＲＸ手順に起因して、ＭＴＣ装置が適切な時間にページングを監視していなければ、ページングはＭＴＣ装置には到着しない。そのため、この例では、ネットワークは、有利には、各ＭＴＣ装置のＤＲＸスキームを知っているであろう。
【００６８】
本提案の態様においては、ＭＴＣ装置は、例えば、アタッチ／ＲＡＵ／ＴＡＵの更新要求シグナリングなどのＮＡＳメッセージを介して、ネットワークに自身のＤＲＸスキームを通知することができる。
【００６９】
各ＭＴＣ装置のスケジュールされているＤＲＸスキームを扱うことができるネットワークは、ＭＴＣ装置からＤＲＸスキームを受信した場合、サーバからのアクセス要求が受信された場合の将来の参照用に、受信されたＤＲＸスキームを格納する。
【００７０】
ネットワークは、ＭＴＣ装置にページングメッセージを送信する必要がある場合には、対象のＭＴＣ装置の格納されたＤＲＸスキームを参照して、スケジュールされているＤＲＸに従ってページングを傾聴するタイミングであってＭＴＣ装置に知られているタイミングで、ページングを送信する。
【００７１】
もちろん、本発明は、ＭＴＣ装置だけでなく、無線端末の任意のタイプにも同様に適用可能であることを理解すべきである。
【００７２】
しかし、本発明の効果は、ＭＴＣ装置に関連して使用される場合に特に顕著になる。特に、スケジュールされているＤＲＸスキームの容易に更新可能な特性は、ＭＴＣアプリケーションに適しており、ＩＰパケットベースのコマンドまたはＳＭＳまたはＮＡＳ／ＡＳシグナリングまたはＯＭＡ  ＤＭまたはＡＴコマンドの経由によって、構成および再構成することが可能である。前述したように、本発明を具現化するＭＴＣ装置は、各ＭＴＣアプリケーションのスケジュールされているＤＲＸスキームをマージして、ＭＴＣ装置用の単一のスケジュールされているＤＲＸスキームを生成するように構成されるＤＲＸスケジューラを使用することができる。この単一の合成ＤＲＸスキームは、特に、マージされたＤＲＸスキームに従ってページングメッセージの傾聴を開始または停止する必要がある場合に、このＭＴＣ装置のプロトコルスタックを制御する。
【００７３】
ＤＲＸ装置が、スケジュールされているＤＲＸスキームに従ってページングの傾聴を開始する場合、ＤＲＸスケジューラおよびプロトコルスタックは、ページング傾聴の開始前に、セル測定、ＳＩ読み取り、および／または、ＲＡＵ／ＴＡＵ手順が必要な場合には、これらの実行時間が確保されるよう、ページング傾聴の開始タイミングを調整する。
【００７４】
ＭＴＣ装置は、自身のスケジュールされているＤＲＸスキームをネットワークに通知することができ、また、ネットワークは、いわゆる欠落したページングまたはいわゆる“無駄な”ページングを回避するために、通知されたＤＲＸスキームを使用することができる。
【００７５】
もちろん、本発明は、受信機が、スケジュールされている低頻度なページングウィンドウ中を除いて、ページング傾聴をオフに切り替えることを可能にするため、ＭＴＣ装置を有利には低電力消費な形態へと改善することができることから、どのようなタイプの無線通信システムにも使用される。また、スケジュールされているＤＲＸスキームに従って、ＭＴＣアプリケーションサーバからＭＴＣ装置のＭＴＣアプリケーションへのアクセスが実行されることから、欠落したページングがより少なくなるよう改良された方法を提供することができる。
【００７６】
本出願は、２０１２年１１月２７日に出願された英国特許出願第１２２１３２５．２を基礎としてその優先権を主張し、その全体が参照によって本明細書に組み込まれる。
【符号の説明】
【００７７】
１２  マシン型通信（ＭＴＣ：MACHINE TYPE COMMUNICATION）装置
１４  ネットワーク装置
１６，１８，２０  ＭＴＣアプリケーションサーバ
３８  移動無線通信装置
４０  ＭＴＣアプリケーション
４２  ＤＲＸスケジューラ
４４  プロトコルスタック
４８  ＭＴＣ装置
５０  ネットワーク
５２  ＭＴＣアプリケーションサーバ
５８  移動通信装置
６０Ａ，６０Ｂ，６０Ｃ  ＭＴＣアプリケーション
６２  ＤＲＸスケジューラ
６４  プロトコルスタック
【図１】
2015535662.tif 000003
【図２】
2015535662.tif 000004
【図３】
2015535662.tif 000005
【図４】
2015535662.tif 000006
【図５】
2015535662.tif 000007
【図６】
2015535662.tif 000008
【手続補正書】
【提出日】平成27年5月28日(2015.5.28)
【手続補正１】
【補正対象書類名】特許請求の範囲
【補正対象項目名】全文
【補正方法】変更
【補正の内容】
【特許請求の範囲】
【請求項１】
移動無線通信装置であって、計画されているＤＲＸアクティビティのスケジュールによって定められる省電力ＤＲＸ手順を実行するように構成されると共に、計画されているＤＲＸアクティビティのスケジュールに従ってネットワーク装置から送信されたシグナリングを受信するように構成される、装置。
【請求項２】
請求項１に記載の装置であって、
前記ネットワーク装置に前記スケジュールを送信する手段を含む、装置。
【請求項３】
請求項１に記載の装置であって、
前記ネットワーク装置から前記スケジュールを受信する手段を含む、装置。
【請求項４】
請求項１，２または３に記載の装置であって、
前記スケジュールを格納するスケジューラを含む、装置。
【請求項５】
移動無線通信ネットワーク装置であって、省電力ＤＲＸ手順を実行する移動無線通信装置内で計画されているＤＲＸアクティビティのスケジュールに従って、前記移動無線通信装置へのシグナリングを制御するように、前記シグナリング用に構成される、装置。
【請求項６】
請求項５に記載の装置であって、
前記移動無線通信装置から前記スケジュールを受信するように構成される、装置。
【請求項７】
請求項５に記載の装置であって、
前記移動無線通信装置に前記スケジュールを送信するように構成される、装置。
【請求項８】
請求項５，６または７に記載の装置であって、
複数のシグナリングメッセージに関連する複数のスケジュールに従って、前記シグナリングを制御するように構成される、装置。
【請求項９】
請求項１から４のいずれか１項以上に記載の移動無線通信装置と、請求項５から８のいずれか１項以上に記載の移動無線通信ネットワーク装置と、を含む、移動無線通信システム。
【請求項１０】
省電力ＤＲＸ手順に従って、無線通信ネットワーク内の移動無線通信装置を動作させる方法であって、前記装置用に計画されているＤＲＸアクティビティのスケジュールを定めることと、計画されているＤＲＸアクティビティのスケジュールに従って前記装置に送信されたネットワークシグナリングを受信することと、を含む、方法。
【請求項１１】
請求項１０に記載の方法であって、
前記装置内のＤＲＸアクティビティの複数のスケジュールを定めるステップを含む、方法。
【請求項１２】
請求項１１に記載の方法であって、
前記複数のスケジュールをマージして、計画されているＤＲＸアクティビティの単一のマージされたスケジュールにするステップを含む、方法。
【請求項１３】
請求項１０，１１または１２に記載の方法であって、
前記移動無線通信装置から前記ネットワークへ前記スケジュールを送信するステップを含む、方法。
【請求項１４】
省電力ＤＲＸ手順を実行する移動無線通信装置へネットワークシグナリングを提供するように移動無線通信ネットワーク装置を動作させる方法であって、前記移動無線通信装置内で計画されているＤＲＸアクティビティのスケジュールに従って、前記シグナリングを制御するステップを含む、方法。
【請求項１５】
請求項１４に記載の方法であって、
前記移動無線通信装置から、計画されているＤＲＸアクティビティのスケジュールを受信するステップを含む、方法。
【手続補正２】
【補正対象書類名】明細書
【補正対象項目名】００７６
【補正方法】変更
【補正の内容】
【００７６】
本出願は、２０１２年１１月２７日に出願された英国特許出願第１２２１３２５．２を基礎としてその優先権を主張し、その全体が参照によって本明細書に組み込まれる。
上記実施形態の一部又は全部は、以下の付記のようにも記載されうるが、以下には限られない。
（付記１）
移動無線通信装置であって、計画されているＤＲＸアクティビティのスケジュールによって定められる省電力ＤＲＸ手順を実行するように構成されると共に、計画されているＤＲＸアクティビティのスケジュールに従ってネットワーク装置から送信されたシグナリングを受信するように構成される、装置。
（付記２）
付記１に記載の装置であって、
前記ネットワーク装置に前記スケジュールを送信する手段を含む、装置。
（付記３）
付記１に記載の装置であって、
前記ネットワーク装置から前記スケジュールを受信する手段を含む、装置。
（付記４）
付記１，２または３に記載の装置であって、
前記スケジュールを格納するスケジューラを含む、装置。
（付記５）
付記４に記載の装置であって、
前記スケジューラは、前記装置内のプロトコルスタックと通信するように構成される、装置。
（付記６）
付記１から５のいずれか１項に記載の装置であって、
計画されているＤＲＸアクティビティの複数のスケジュールを定めるように構成される、装置。
（付記７）
付記６に記載の装置であって、
前記複数のスケジュールをマージして、計画されているＤＲＸアクティビティの単一のマージされたスケジュールを形成する手段を含む、装置。
（付記８）
付記１から７のいずれか１項に記載の装置であって、
計画されているＤＲＸアクティビティのスケジュールは、ＤＲＸサイクル用のＤＲＸ開始および停止要求によって定められる、装置。
（付記９）
付記８に記載の装置であって、
ＤＲＸ開始要求とＤＲＸ手順の開始との間に遅延期間を使用する、装置。
（付記１０）
付記８または９に記載の装置であって、
前記ＤＲＸ開始および停止要求を前記装置内のプロトコルスタックに送信するように構成される、装置。
（付記１１）
付記１から１０のいずれか１項に記載の装置であって、
ＭＴＣ装置を有する、装置。
（付記１２）
付記１１に記載の装置であって、
計画されているＤＲＸアクティビティのスケジュールのそれぞれに関連する複数のアプリケーションを含む、装置。
（付記１３）
移動無線通信ネットワーク装置であって、省電力ＤＲＸ手順を実行する移動無線通信装置内で計画されているＤＲＸアクティビティのスケジュールに従って、前記移動無線通信装置へのシグナリングを制御するように、前記シグナリング用に構成される、装置。
（付記１４）
付記１３に記載の装置であって、
前記移動無線通信装置から前記スケジュールを受信するように構成される、装置。
（付記１５）
付記１３に記載の装置であって、
前記移動無線通信装置に前記スケジュールを送信するように構成される、装置。
（付記１６）
付記１３，１４または１５に記載の装置であって、
複数のシグナリングメッセージに関連する複数のスケジュールに従って、前記シグナリングを制御するように構成される、装置。
（付記１７）
付記１６に記載の装置であって、
前記複数のスケジュールは、単一のマージされたスケジュール内で供給される、装置。
（付記１８）
付記１３，１４，１５，１６または１７に記載の装置であって、
計画されているＤＲＸアクティビティのスケジュールを格納するように構成される、装置。
（付記１９）
付記１３，１４，１５，１６，１７または１８に記載の装置であって、
計画されているＤＲＸアクティビティのスケジュールに従って、シグナリング用の別のネットワーク装置から前記移動無線通信装置への要求を基に動作するように構成される、装置。
（付記２０）
付記１９に記載の装置であって、
少なくとも１つのＭＴＣサーバからアクセス要求を受信するように構成される、装置。
（付記２１）
付記１９に記載の装置であって、
ＭＴＣサーバを有する、装置。
（付記２２）
付記１から１２のいずれか１項以上に記載の移動無線通信装置と、付記１３から２１のいずれか１項以上に記載の移動無線通信ネットワーク装置と、を含む、移動無線通信システム。
（付記２３）
省電力ＤＲＸ手順に従って、無線通信ネットワーク内の移動無線通信装置を動作させる方法であって、前記装置用に計画されているＤＲＸアクティビティのスケジュールを定めることと、計画されているＤＲＸアクティビティのスケジュールに従って前記装置に送信されたネットワークシグナリングを受信することと、を含む、方法。
（付記２４）
付記２３に記載の方法であって、
前記装置内のＤＲＸアクティビティの複数のスケジュールを定めるステップを含む、方法。
（付記２５）
付記２４に記載の方法であって、
前記複数のスケジュールをマージして、計画されているＤＲＸアクティビティの単一のマージされたスケジュールにするステップを含む、方法。
（付記２６）
付記２３，２４または２５に記載の方法であって、
前記移動無線通信装置から前記ネットワークへ前記スケジュールを送信するステップまたは前記ネットワークからの前記スケジュールを前記移動無線通信装置で受信するステップを含む、方法。
（付記２７）
付記２３から２６のいずれか１項に記載の方法であって、
ＤＲＸサイクル用のＤＲＸ開始および停止要求によってＤＲＸアクティビティを定める、方法。
（付記２８）
付記２７に記載の方法であって、
ＤＲＸ開始要求とＤＲＸ手順の開始との間に遅延期間を使用するステップを含む、方法。
（付記２９）
付記２３から２８のいずれか１項に記載の方法であって、
ＭＴＣネットワーク内のＭＴＣ装置を動作させる、方法。
（付記３０）
省電力ＤＲＸ手順を実行する移動無線通信装置へネットワークシグナリングを提供するように移動無線通信ネットワーク装置を動作させる方法であって、前記移動無線通信装置内で計画されているＤＲＸアクティビティのスケジュールに従って、前記シグナリングを制御するステップを含む、方法。
（付記３１）
付記３０に記載の方法であって、
前記移動無線通信装置から、計画されているＤＲＸアクティビティのスケジュールを受信するステップまたは前記移動無線通信装置に前記スケジュールを送信するステップを含む、方法。
（付記３２）
付記２９または３０に記載の方法であって、
前記移動無線通信ネットワーク装置内に前記スケジュールを格納するステップを含む、方法。
（付記３３）
付記３２に記載の方法であって、
計画されているＤＲＸアクティビティのスケジュールに従って、シグナリング用の別のネットワーク装置から前記移動無線通信装置への要求を基に動作するステップを含む、方法。
（付記３４）
付記２３から２９のいずれか１項に記載の方法と、付記３０から３３のいずれか１項に記載の方法と、を含む、移動無線配信システムを動作させる方法。
【国際調査報告】
2015535662.tif 000009